(57)【要約】【課題】  結露除去動作の実行中に画像形成を一律禁止とすると、印字物の品質より出力の早さを求めるユーザに対応することができない。【解決手段】  画像形成手段と、前記画像形成手段に発生した結露を解消する動作である結露除去動作を実行する結露除去手段と、前記結露除去動作を実行する結露対策モードを有効状態に設定する設定手段と、表示手段と、前記結露対策モードを有効状態に設定する際に、警告画面を前記表示手段に表示させるとともに、前記結露除去動作の実行中に制限する画像形成ジョブの種類をユーザに選択させる制御手段と、を有し、前記制御手段は、前記結露除去動作の実行中に画像形成ジョブを受信した場合、前記結露対策モードの設定時にユーザにより選択されたジョブの種類に基づき、前記受信した画像形成ジョブの実行可否を判断することを特徴とする。【選択図】  図５
2018098600.tif 000002
【特許請求の範囲】
【請求項１】
シートに画像を形成する画像形成手段と、
前記画像形成手段に発生した結露を解消する動作である結露除去動作を実行する結露除去手段と、
前記結露除去動作を実行する結露対策モードを有効状態に設定する設定手段と、
情報を表示する表示手段と、
前記結露対策モードを有効状態に設定する際に、警告画面を前記表示手段に表示させるとともに、前記結露除去動作の実行中に制限する画像形成ジョブの種類をユーザに選択させる制御手段と、を有し、
前記制御手段は、前記結露除去動作の実行中に画像形成ジョブを受信した場合、前記結露対策モードの設定時にユーザにより選択された画像形成ジョブの種類に基づき、前記受信した画像形成ジョブの実行可否を判断することを特徴とする画像形成装置。
【請求項２】
前記警告画面は、前記結露除去動作の実行中は印字物の品質が低下する可能性がある旨を表示する画面であることを特徴とする請求項１に記載の画像形成装置。
【請求項３】
前記制御手段は、前記警告画面を前記表示手段に表示させた後に、前記結露除去動作の実行中に制限する画像形成ジョブの種類をユーザに選択させることを特徴とする請求項１又は２に記載の画像形成装置。
【請求項４】
前記画像形成ジョブは、ファクシミリデータに基づき画像形成動作を実行するファクスジョブと、外部装置から受信した、ページ記述言語で記述された印刷データに基づき画像形成動作を実行するプリントジョブと、原稿読取部から取得した画像データに基づき画像形成動作を実行するコピージョブを少なくとも含むことを特徴とする請求項１乃至３の何れか１項に記載の画像形成装置。
【請求項５】
前記選択されたジョブの種類に従って、前記結露除去動作の実行中に受信されたファクスジョブの実行は禁止され、それ以外の画像形成ジョブの実行は許可されることを特徴とする請求項１乃至４の何れか１項に記載の画像形成装置。
【請求項６】
前記選択されたジョブの種類に従って、前記結露除去動作の実行中に受信された全ての画像形成ジョブは実行が禁止されることを特徴とする請求項１乃至５の何れか１項に記載の画像形成装置。
【請求項７】
前記選択されたジョブの種類に従って、前記結露除去動作の実行中に受信されたファクスジョブは、メモリ受信に変更されることを特徴とする請求項１乃至６のいずれか１項に記載の画像形成装置。
【請求項８】
前記警告画面は、画像形成ジョブが受信された際にも表示されることを特徴とする請求項１乃至７の何れか１項に記載の画像形成装置。
【請求項９】
前記結露除去手段は、前記画像形成手段に結露が発生したことを検知した場合に前記結露除去動作を実行することを特徴とする請求項１乃至８の何れか１項に記載の画像形成装置。
【請求項１０】
前記結露除去手段は、前記結露対策モードの設定指示に応じて前記結露除去動作を実行することを特徴とする請求項１乃至９の何れか１項に記載の画像形成装置。
【請求項１１】
前記結露除去手段は、前記画像形成手段に送風するファンを回転駆動させることにより前記結露除去動作を実行することを特徴とする請求項１乃至１０の何れか１項に記載の画像形成装置。
【発明の詳細な説明】
【技術分野】
【０００１】
本発明は、電子写真方式を用いた画像形成装置に関する。
【背景技術】
【０００２】
複写機やプリンタなどの画像形成装置は、温湿度の変動等により、装置内に結露が発生することがある。このような結露の発生は、画像形成に影響を及ぼす可能性がある。例えば、電子写真方式の画像形成装置においては、レーザスキャナの結露による画像の欠けやスキャナエラー、感光体ドラムの結露による画像のにじみやクリーニングブレードの異音等が挙げられる。
【０００３】
結露による影響を軽減する方法の１つとして、ドラムヒータ等の環境ヒータを搭載することにより、結露が発生し難い構成とすることが考えられる。しかし、近年低価格化の進む小型の画像形成装置に対しては、コストの観点から環境ヒータの搭載が困難な場合もある。
【０００４】
特許文献１には、結露の発生を検知する手段と、発生した結露を解消する手段を備えた画像形成装置が提案されている。特許文献１記載の画像形成装置は、ファンの駆動前後の装置内温度の上昇量が閾値以上であれば、装置内が結露していると判断し、定着ヒータの加熱やファンの駆動など、結露の解消を目的とした結露除去動作を行う。
【先行技術文献】
【特許文献】
【０００５】
【特許文献１】特開２０１４−８１４６６号公報
【発明の概要】
【発明が解決しようとする課題】
【０００６】
特許文献１では、結露除去動作の実行中の画像形成動作を制限しているため、印字物の品質を求めるユーザに対してはメリットがある。一方で、画像形成装置が確実に結露から回復するまで待機する必要があるため、印字物の品質より出力の早さを求めるユーザに対しては、この結露回復動作が煩わしい場合がある。
【０００７】
本発明は、このような課題を解決するためになされたものであり、その目的は、多様なユーザの要望に対応する画像形成装置を提供することにある。
【課題を解決するための手段】
【０００８】
上記目的を達成するために、本発明の画像形成装置は、シートに画像を形成する画像形成手段と、前記画像形成手段に発生した結露を解消する動作である結露除去動作を実行する結露除去手段と、前記結露除去動作を実行する結露対策モードを有効状態に設定する設定手段と、情報を表示する表示手段と、前記結露対策モードを有効状態に設定する際に、警告画面を前記表示手段に表示させるとともに、前記結露除去動作の実行中に制限する画像形成ジョブの種類をユーザに選択させる制御手段と、を有し、前記制御手段は、前記結露除去動作の実行中に画像形成ジョブを受信した場合、前記結露対策モードの設定時にユーザにより選択された画像形成ジョブの種類に基づき、前記受信した画像形成ジョブの実行可否を判断することを特徴とする。
【発明の効果】
【０００９】
本発明によれば、多様なユーザの要望に対応する画像形成装置を提供することができる。
【図面の簡単な説明】
【００１０】
【図１】画像形成装置の断面図
【図２】画像形成装置の制御ブロック図
【図３】操作部１３の詳細図
【図４】メイン制御を説明するフローチャート
【図５】図４のＳ１０２を詳細に説明するフローチャート
【図６】結露対策モード設定時の操作部１３の表示画面の遷移を示す図
【図７】図４のＳ１０４を詳細に説明するフローチャート
【図８】画像形成ジョブの投入時の操作部１３の画面を示す図
【図９】図４のＳ１０５を詳細に説明するフローチャート
【発明を実施するための形態】
【００１１】
以下、図面を参照して本発明の実施の形態を詳しく説明する。なお、以下の実施形態は特許請求の範囲に係る発明を限定するものではなく、また実施の形態で説明されている特徴の組み合わせの全てが発明の解決手段に必須のものとは限らない。
【００１２】
図１は、本実施形態における画像形成装置の断面図である。図１を参照して、画像形成装置の基本構成について説明する。画像形成装置１は、用紙（シート）を給紙、搬送し、該用紙上に画像を形成し、画像が形成された用紙を排紙する装置である。画像形成装置１は、用紙の給紙口である第一給紙カセット１５０、第二給紙カセット２２０および手差し給紙トレイ２１０を備える。そして、これらの給紙口から用紙を給紙・搬送するための給紙ピックアップローラ１５１及び用紙搬送ローラ１５５を備える。また、給紙・搬送中の用紙の挙動を検出するための給紙ピックアップセンサ１５２やレジ前搬送センサ１６０を備える。さらに、画像を形成するためのレーザスキャナ１２２ａ〜１２２ｄ、画像を用紙に転写するための転写部１４０、画像を用紙に定着させるための定着器１７０を備える。１２２ａはイエロー、１２２ｂはマゼンタ、１２２ｃはシアン、１２２ｄはブラックの画像を形成するためのレーザスキャナである。そして、用紙の排紙口である第一排紙トレイ１９６および第二排紙トレイ２００を備える。さらに、原稿を読み取って画像データへと変換する原稿読取部１５を備える。また、補助機能として、ユーザからの画像形成の指示を受けたり、ユーザに対して情報の表示をおこなったりする操作部１３を備える。
【００１３】
以下、レーザスキャナ１２２ａ〜１２２ｄのいずれにも共通する内容については、アルファベットを省略し、「レーザスキャナ１２２」と表記する。他の構成についても同様に表記する。
【００１４】
図２は、画像形成装置１の制御ブロック図である。図２を参照して、画像形成装置１の構成について説明する。
【００１５】
ＣＰＵ１０は、画像形成装置１を構成する電気的要素の制御を行う。ＣＰＵ１０には、プログラムが格納されたＲＯＭ１１および制御データを格納するＲＡＭ１２が接続されている。ＣＰＵ１０は、ＲＯＭ１１に格納されたプログラムを読み出し、そのプログラムに基づいて、ＲＡＭ１２を作業領域として使用しながら、各種の処理を実行する。
【００１６】
ＣＰＵ１０は、操作部１３や、ＰＣ２０や他のファクス送信機２１などの外部機器と通信する外部機器ＩＦ１４と接続され、様々な画像形成ジョブを受信することが可能である。本実施形態においては、画像形成ジョブとして、ファクスジョブ、プリントジョブ、コピージョブを受信することができる。ファクスジョブは、ファクス送信機２１から受信したファクシミリデータに基づき画像形成動作を実行するジョブである。プリントジョブは、ＰＣ２０から受信したＰＤＬ（ページ記述言語）で記述された印刷データに基づき画像形成動作を実行するジョブである。コピージョブは、原稿読取部１５から取得した画像データに基づき画像形成動作を実行するジョブである。操作部１３または外部機器ＩＦ１４から、これらの画像形成ジョブの開始指示がＣＰＵ１０に入力されると、その開始指示に従い、ＣＰＵ１０は、シートに画像を形成する画像形成動作を実行させる。具体的には、モータ等の負荷１８を駆動制御し、レジ前搬送センサ１６０などの複数のセンサ１７によって、給紙・搬送される用紙の位置を検出する。更にＣＰＵ１０は、レーザスキャナ１２２、転写部１４０、及び定着器１７０を含む画像形成部１６を制御する。ＣＰＵ１０は、原稿読取部１５の制御も行う。原稿読取部１５は、ＣＰＵ１０の指示に従って原稿を読み取って画像データに変換し、その画像データをＣＰＵ１０へ転送する。また、後述する結露除去動作の実行時は、ＣＰＵ１０はファン１９を全速で駆動させ、結露除去動作を実行する。
【００１７】
ファン１９は、機外の空気を画像形成装置１内に取り込むための送風機である。ファン１９が回転すると、外気が画像形成装置１の内部に流入する。ファン１９が回転すると、外気を吸入し、風路１９９を通り、排紙トレイ上に設けられたスリット部へ吹き抜ける。風路１９９によって、カートリッジ１２０ａ〜１２０ｄの昇温が抑制され、カートリッジ内の感光体の膨張による画像変更を抑える役割がある。
【００１８】
図３は、操作部１３の詳細図である。操作部１３は、画像形成動作を開始するためのスタートキー６０２、画像形成動作を中断するためのストップキー６０３を備える。さらに、数字を入力するためのテンキー６０４〜６１３を備え、ユーザが印刷部数の設定などを行うことに使用される。また操作部１３は、画像形成に関する設定情報やエラー画面を表示したり、ユーザがタッチ入力を行ったりするための表示部であるタッチパネル６２０を備える。
【００１９】
図４は、本実施形態におけるＣＰＵ１０の処理の動作の一例を示すフローチャートである。
【００２０】
Ｓ１０１において、ＣＰＵ１０は、操作部１３を通じてユーザから結露対策モードの設定指示を受信する。結露対策モードの設定指示を受信した場合はＳ１０２へ進み、図５の結露対策モード設定処理を実行後Ｓ１０３へ進む。設定指示を受信しなかった場合はＳ１０２を実行せずにＳ１０３へ進む。
【００２１】
Ｓ１０３では、ＣＰＵ１０は、操作部１３または外部機器ＩＦ１４から画像形成ジョブが入力されたか否かを判断する。画像形成ジョブが入力されていた場合はＳ１０４に進み、図７のジョブ投入時の処理を実行後、Ｓ１０５へ進む。画像形成ジョブが入力されていなかった場合は、Ｓ１０４は実行せずにＳ１０５へ進む。Ｓ１０５では図９のファン制御処理を実行し、その後Ｓ１０１の処理へと戻る。
【００２２】
図４で示した処理では、ユーザからの結露対策モード設定指示と画像形成ジョブの入力をそれぞれ監視し、各入力に応じた処理を実行する。
【００２３】
図５は、図４のＳ１０２の詳細を説明するフローチャートである。また図６は、結露対策モード設定時の操作部１３の表示画面の遷移を表す図である。以下、図５および図６を用いて結露対策モード設定処理について説明する。
【００２４】
まず、Ｓ２０１において、ＣＰＵ１０は、図６（ａ）に示すＯＮ／ＯＦＦ選択画面の表示を操作部１３に指示し、ユーザに結露対策モードの有効／無効の選択を促す。次にＳ２０２において、ＣＰＵ１０は、ユーザが操作部１３に対してＯＮを選択したかＯＦＦを選択したかを判断する。ＯＦＦが選択された場合はＳ２０３に進み、ＲＡＭ１２に格納される変数ｍｏｄｅに０を代入し、図５の処理を終了する。変数ｍｏｄｅは、後述のジョブ投入時の処理やファン制御処理において参照する値であり、０で初期化されている。
【００２５】
Ｓ２０２においてＯＮが選択された場合はＳ２０４に進み、ＣＰＵ１０は、図６（ｂ）に示すような警告画面の表示を操作部１３に指示する。この警告画面は、結露除去動作の実行中は印字物の品質が低下する可能性がある旨を表示する警告画面である。この警告画面の表示後、Ｓ２０５において、ＣＰＵ１０は、ユーザから操作部１３に対してＯＫが入力されるまで待機する。ＯＫが入力された場合はＳ２０６に進み、ＣＰＵ１０は、図６（ｃ）に示すジョブの制限範囲を選択させるための選択画面の表示を操作部１３に指示する。これにより、第１のモードと第２モードの何れかを選択するようにユーザに促す。第１のモードは、ファクスジョブをプリントせずにメモリ受信し、それ以外のジョブ、例えばＰＣ２０からのプリントジョブやコピージョブは許可するモードである。第２のモードは、ファクスジョブをプリントせずにメモリ受信するとともに、ファクス以外のジョブを禁止するモードである。第１のモードが選択された場合は、ファクスジョブの画像形成動作は結露除去動作の終了までは制限され、ファクスジョブ以外のジョブについては画像形成動作が結露除去動作中も許可される。一方、第２のモードが選択された場合は、ファクスジョブの画像形成動作も、ファクスジョブ以外のジョブの画像形成動作も制限される。
【００２６】
本実施形態によれば、印字物の品質低下の可能性をユーザに提示した上で、ユーザに画像形成の制限範囲を選択させる。品質の低下を避けたいユーザは、モード２を選択すれば、低品質な印字物の出力を未然に防ぐことができる。一方、プリントやコピーを早く出力したいユーザは、ＦＡＸ以外のジョブを許可する第２のモードを選択すれば、ファクス以外のジョブは装置の確実な回復を待たずとも出力が可能となり、無駄な待ち時間を減らすことができる。すなわち本実施形態によれば多様なユーザのニーズに対応することができ、ユーザビリティを向上させることができる。同時に、再印字の困難なファクスは必ずメモリ受信とすることで、情報損失のリスクを低減することができる。
【００２７】
続いてＳ２０７において、ＣＰＵ１０は、図６（ｃ）の画面を介して指示された内容を確認し、上述した第１のモードと第２のモードのうちどちらのモードが選択されたかを判断する。同時にＣＰＵ１０は、ユーザがモードを選択したタイミングで、図６（ｄ）に示すような設定完了画面の表示を操作部１３に指示する。第２のモードが選択された場合は、Ｓ２０８に進み、変数ｍｏｄｅに２を代入後、図６の処理を終了する。第１のモードが選択された場合は、Ｓ２０９に進み、変数ｍｏｄｅに１を代入後、処理を終了する。
【００２８】
以上のように、ユーザからの結露対策モードの設定指示があった場合には、結露除去動作の実行中の印字物の品質低下の可能性をユーザに提示した上で、制限するジョブの種類をユーザに選択させる。なお本実施形態では、選択できるモードは２種類であったが、３種類以上のモード群であってもよい。例えば、ファクスジョブを含む全ての種類の画像形成ジョブを禁止する第３のモードを設けてもよい。
【００２９】
図７は、図４のＳ１０４の詳細を説明するフローチャートである。また図８は、ジョブ投入時の操作部１３の表示画面を表す図である。以下、図７及び図８を用いて、ジョブ投入時の処理について説明する。
【００３０】
まずＳ３０１において、ＣＰＵ１０は、ＲＡＭ１２に格納された変数ｍｏｄｅの値を参照する。変数ｍｏｄｅが０であった場合は、結露対策モードが無効状態であると判断し、処理をＳ３０２へ進める。Ｓ３０２において、ＣＰＵ１０は、受信した画像形成ジョブを画像形成部１６に実行させる。すなわち、結露対策モードが無効状態に設定されているときは、受信した画像形成ジョブの種類に関わらず画像形成動作が実行される。
【００３１】
一方、Ｓ３０１において、ＲＡＭ１２に格納された変数ｍｏｄｅが０以外であった場合、結露対策モードが有効状態に設定されているため、処理をＳ３０３へ進める。Ｓ３０３において、ＣＰＵ１０は、受信した画像形成ジョブの種類を判断する。画像形成ジョブの種類がファクスジョブである場合、再印刷が困難であるという理由から、この時点では画像形成動作を実行せず、メモリ受信に切り替える。すなわちＳ３０４において、ＣＰＵ１０は、受信した画像形成ジョブのデータ（この場合はファクシミリデータ）をＲＡＭ１２に記憶し、図７の処理を終了する。このように本実施形態では、結露対策モードが有効状態に設定されているときは、受信したファクスジョブをメモリ受信に変更する制御を実行する。
【００３２】
Ｓ３０３において、画像形成ジョブの種類がファクスジョブ以外のジョブであると判断した場合は、処理をＳ３０５に進める。ファクスジョブ以外のジョブとは、本実施形態では、ＰＣ２０からのネットワークプリントジョブや操作部１３から指示されたコピージョブが該当する。Ｓ３０５において、ＣＰＵ１０は、再度変数ｍｏｄｅの値を参照する。変数ｍｏｄｅが１でなかった場合、ファクスジョブ以外のジョブを制限する第２のモードであると判断し、処理をＳ３０４へ進める。Ｓ３０４において、ＣＰＵ１０は、受信した画像形成ジョブの画像データをＲＡＭ１２に記憶し、処理を終了する。
【００３３】
Ｓ３０５において、変数ｍｏｄｅが１であった場合、ファクスジョブ以外を許可する第１のモードであると判断し、処理をＳ３０６に進める。Ｓ３０６において、ＣＰＵ１０は、図８に示す警告画面の表示を操作部１３に指示し、ジョブを続行するかどうかの選択をユーザに促す。続行が選択された場合は、Ｓ３０２へ進み、画像形成ジョブの実行を画像形成部１６に指示後、図７の処理を終了する。キャンセルが選択された場合は、受信した画像形成ジョブの画像データを消去後、図７の処理を終了する。
【００３４】
なお本実施形態では、Ｓ３０８で警告画面を表示させる構成としたが、例えばＰＣ２０から受信したジョブでは、画像形成装置１の前にユーザが存在しない場合も考えられる。そのような場合はＳ３０８の処理をせずに直接Ｓ３０２に進み、画像形成動作を実行させても良い。
【００３５】
以上のように、本実施形態では、画像形成ジョブを受信した時に、受信した画像形成ジョブの種類と、結露対策モード設定時にユーザが選択したジョブの制限範囲に基づき、該受信した画像形成ジョブの実行可否を決定する。実行可と判断した場合は、ＣＰＵ１０は、即座に画像形成動作を実行させ、実行不可と判断した場合は、ＣＰＵ１０は、ＲＡＭ１２に画像データを退避し、結露解消動作の終了後に画像形成動作を実行させる。なお、本実施形態では、画像形成動作が実行不可と判断した場合は、ＲＡＭ１２に画像データを退避する構成を説明したが、受信した画像形成ジョブをキャンセルして、エラーとしてログを残すような構成でもよい。
【００３６】
図９は、図４のＳ１０５の詳細を説明するためのフローチャートである。まずＳ４０１において、ＣＰＵ１０は、ファン１９の駆動状態を判断する。ファン１９が停止している場合は、Ｓ４０２に進み、ＲＡＭ１２に格納された変数ｍｏｄｅの値を参照する。変数ｍｏｄｅが０以外であった場合はＳ４０３へ進み、ファン１９に駆動を指示後、処理を終了する。このときＣＰＵ１０は、ファン１９を全速で駆動するよう指示する。一方、変数ｍｏｄｅの値を参照した結果、変数ｍｏｄｅが０であった場合は、結露対策モードが無効状態に設定されているため、そのまま処理を終了する。
【００３７】
Ｓ４０１において、ファン１９が駆動中である場合、処理をＳ４０４へ進める。Ｓ４０４において、ＣＰＵ１０は、ＲＡＭ１２に格納された変数ｍｏｄｅの値を参照する。変数ｍｏｄｅが０以外であった場合は、結露対策モード中であると判断し、処理をＳ４０５へ進める。Ｓ４０５において、ＣＰＵ１０は、ファン１９の駆動開始からの時間を参照する。駆動開始からの時間が９０分未満であった場合は、そのまま処理を終了する。駆動開始から９０分経過した場合はＳ４０６へ進み、ＣＰＵ１０はファン１９に駆動停止を指示する。またＳ４０４において、変数ｍｏｄｅが０であった場合もＳ４０６へ進む。続いてＳ４０７において、変数ｍｏｄｅに０を代入する。その後、Ｓ４０８において、ＣＰＵ１０は、ＲＡＭ１２に画像データが記憶されているか否かを判断する。画像データが記憶されていた場合はＳ４０９へ進み、画像形成ジョブの実行を画像形成部１６に指示後、図９の処理を終了する。データが記憶されていなかった場合は、そのまま処理を終了する。
【００３８】
なお図９の説明では、ファン１９の駆動開始から９０分経過後に画像形成ジョブを実行する構成としたが、このタイミングでジョブを実行しなくてもよい。例えば、ファン１９の駆動開始から９０分経過後にはジョブを実行せず、ユーザから操作部１３を介して画像形成の指示がされた時に、該ジョブを実行する構成でも良い。更にはＲＡＭ１２に記憶されている画像データのジョブの種類を判断して、例えばファクスジョブ以外のジョブであればファン１９の駆動開始から９０分経過後に自動的に実行し、ファクスジョブであればユーザからの指示で実行する、といった構成も考えられる。
【００３９】
以上のように、結露対策モードの設定後は、結露除去動作としてファン１９を９０分間駆動する。ここで、９０分間という値は一例である。また、結露除去動作の実行中にメモリに退避したジョブの画像データがあった場合には、結露除去動作の終了後に該画像データに基づく画像形成動作を実行する。
【００４０】
なお本実施形態では、結露対策モードを有効状態に設定する際に、結露除去動作として９０分間、ファン１９を駆動する構成であった。しかし、この構成に限らず、結露対策モードを有効状態に設定したら、温湿度センサ等により結露発生有無の監視を開始し、画像形成部に結露が発生したと判断して初めて結露除去動作を実行する構成でも良い。この時の結露発生の判断の方法は様々な方法が考えられる。例えば、結露を検知するためのセンサを機内に配置し、このセンサの検知情報に基づき結露を判定してもよい。また、機外の温度を検知する温度検知センサを設け、一定時間内に閾値以上の温度上昇を検知した場合に、結露の発生を検知してもよい。
【００４１】
また結露除去動作は、ファン１９の駆動に限らず、定着ヒータの加熱や感光体ドラムの空回転でもよい。また環境ヒータの発熱による結露解消動作であってもよい。
【００４２】
本実施形態によれば、印字物の品質低下の可能性をユーザに提示した上で、ユーザに画像形成ジョブの制限範囲を選択させる。品質の低下を避けたいユーザは、ジョブを禁止するように設定すれば、低品質な印字物の出力を未然に防ぐことができる。一方、プリントやコピーを早く出力したいユーザは、ＦＡＸ以外のジョブを許可するように設定しておけば、ＦＡＸ以外のジョブは装置の確実な回復を待たずとも出力が可能となり、無駄な待ち時間を減らすことができる。すなわち本実施形態によれば多様なユーザのニーズに対応することができ、ユーザビリティを向上させることができる。同時に、再印字の困難なＦＡＸは必ずメモリ受信とすることで、情報損失のリスクを低減することができる。
【００４３】
また、本発明の目的は、前述した実施形態の機能を実現するソフトウェアのプログラムコードを記録した記録媒体を、システムあるいは装置に供給するよう構成することによっても達成される。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記憶した記録媒体は本発明を構成することになる。
【００４４】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４５】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００４６】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００４７】
１  画像形成装置
１０  ＣＰＵ
１１  ＲＯＭ
１２  ＲＡＭ
１３  操作部
１４  外部機器ＩＦ
１５  原稿読取部
１６  画像形成部
１７  センサ
１８  負荷
１９  ファン
２０  ＰＣ
２１  ＦＡＸ送信機
１２２  レーザスキャナ
１４０  転写部
１５０  第一給紙カセット
１５１  給紙ピックアップローラ
１５２  給紙ピックアップセンサ
１５５  用紙搬送ローラ
１６０  レジ前搬送センサ
１７０  定着器
１９６  第一排紙トレイ
２００  第二排紙トレイ
２１０  手差し給紙トレイ
２２０  第二給紙カセット
【図１】
2018098600.tif 000003
【図２】
2018098600.tif 000004
【図３】
2018098600.tif 000005
【図４】
2018098600.tif 000006
【図５】
2018098600.tif 000007
【図６】
2018098600.tif 000008
【図７】
2018098600.tif 000009
【図８】
2018098600.tif 000010
【図９】
2018098600.tif 000011